(57)【要約】防犯窓を備えた引き窓組立体を開示する。この引き窓組立体は、２以上のレールを備え、外部に向かう前面が開放したフレームと、櫺子を備え、前記フレームの外側レールに沿ってスライド可能にするスライド溝が上下部に形成されて左右に移動することができる第１防犯窓部材と、櫺子を備え、前記フレームの中央部で、前記第１防犯窓部材と同一のレールに回動部材を介して回動可能に結合され、前記回動部材を中心に回転して前記第１防犯窓部材に重なり、左右に移動することができる第２防犯窓部材と、を含んでなる。前記構成によれば、必要時に開閉が可能であり、非常時の脱出及び引越荷物の出入りが可能であり、製作及び設置が容易であり、生産費用が低い利点がある。また、折畳式でないので、開閉時の騷音が少なく、櫺子形状を多様に変形して窓の外観を改善することができる。
2008531890.tif 000002
【特許請求の範囲】
【請求項１】
引き窓組立体において、
２以上のレールを備え、外部に向かう前面が開放したフレームと、
櫺子を備え、前記フレームの外側レールに沿ってスライド可能にするスライド溝が上下部に形成されて左右に移動することができる第１防犯窓部材と、
櫺子を備え、前記フレームの中央部で、前記第１防犯窓部材と同一のレールに回動部材を介して回動可能に結合され、前記回動部材を中心に回転して前記第１防犯窓部材に重なり、左右に移動することができる第２防犯窓部材と、を含んでなることを特徴とする、防犯窓を備えた引き窓組立体。
【請求項２】
前記第２防犯窓部材は、上部及び下部に内側の低い段差部が形成されたフレームを備えることを特徴とする、請求項１に記載の防犯窓を備えた引き窓組立体。
【請求項３】
前記第１防犯窓部材の一側にはガラスがさらに備えられ、前記第２防犯窓部材の内側にはガラスが設備された内側窓がさらに設置されることを特徴とする、請求項１又は２に記載の防犯窓を備えた引き窓組立体。
【請求項４】
前記第２防犯窓部材のフレームの一側には防虫網がさらに備えられることを特徴とする、請求項１又は２に記載の防犯窓を備えた引き窓組立体。
【請求項５】
前記第１防犯窓部材と第２防犯窓部材が重なった場合、この状態を維持することができる固定手段をさらに備えることを特徴とする、請求項１又は２に記載の防犯窓を備えた引き窓組立体。
【請求項６】
引き窓組立体において、
２以上のレールを備え、前面が開放したフレームと、
前記フレームの外側レールに沿ってスライド可能にするスライド溝が上下部に形成されたガラス防犯窓枠を備え、前記ガラス防犯窓枠の一側にはガラスが備えられ、他側には防犯窓が加圧部で固定設置されるガラス防犯窓と、
前記ガラス防犯窓と同一のレールに回動部材を介して連結設置され、回動部材を中心に回転してガラス防犯窓に重なって左右にスライド可能であり、フレームと接する側部にロック装置が設置された防犯窓と、を含んでなることを特徴とする、防犯窓を備えた引き窓組立体。
【請求項７】
前記防犯窓は、上部及び下部に内側の低い段差部が形成された防虫防犯窓枠を備えることを特徴とする、請求項６に記載の防犯窓を備えた引き窓組立体。
【請求項８】
前記防虫防犯窓枠の一側には防虫網が備えられ、他側には防犯窓が加圧部で固定設置されることを特徴とする、請求項７に記載の防犯窓を備えた引き窓組立体。
【請求項９】
前記加圧部は上下左右の四つの部分で構成され、各加圧部の断面は前面部が一直線状の上狭下広の形態であり、幅の広い下部開放部は弾性を有し、両末端部に係止片を備え、係止突起を備え、ガラス防犯窓枠又は防虫防犯窓枠に形成された加圧部挿着溝に強制に結合され、上部後面の延長片は前記防犯窓前面を支持固定する構造であることを特徴とする、請求項６又は７に記載の防犯窓を備えた引き窓組立体。
【請求項１０】
前記ガラス防犯窓のガラス防犯窓枠の上部又は下部スライド溝１の箇所以上には高さ調節用ローラーが備えられることを特徴とする、請求項６又は７に記載の防犯窓を備えた引き窓組立体。
【請求項１１】
前記高さ調節用ローラーは、底面がガラス防犯窓枠に固定されたケースの内側にホイールと支持具が内設され、ケース及び支持具の後面部の各ボルト孔にホイール高さ調節用固定ボルトが後方から前方に挿入され、その端部が支持具ボルト孔に固定され、前記ケースの両側面部に形成された垂直案内長孔、前記支持具の側面部に形成された支持具の傾斜案内長孔及び前記ホイール中心孔を中心軸が貫通して固定される組立体で構成されることを特徴とする、請求項１０に記載の防犯窓を備えた引き窓組立体。
【請求項１２】
前記フレームの内側レールに沿ってスライド可能に設置される一つ以上の内側ガラス窓をさらに含むことを特徴とする、請求項６又は７に記載の防犯窓を備えた引き窓組立体。
【発明の詳細な説明】
【発明の詳細な説明】
【０００１】
〔技術分野〕
本発明は防犯窓を備えた引き窓組立体に係り、より詳しくは防犯効果が高く、必要時に開閉可能であり、製作、設置及び修理が容易であり、堅固であるとともに外観が秀麗な防犯窓を備えた引き窓組立体に関するものである。
【０００２】
〔背景技術〕
防犯窓は、泥棒や強盗などの不法侵入者から財産又は生命を保護するか、子供達が高層から不注意で墜落する事故を防止するために、窓などに設置される。
【０００３】
従来の防犯窓は、押出し成形した金属製品などを熔接などで組立て、窓枠又は外壁に固定する固定式防犯窓と、いわゆるジャバラと言われる引き戸型防犯窓が主流をなしている。
【０００４】
前記固定式防犯窓は、窓枠又は外壁に孔を形成し、アンカーを挿入して固定するか、あるいは熔接などで固定する方式であるので、設置作業に困難が多い。また、固定式防犯窓は、火事や緊急災難などの場合、非常脱出口を遮断することになるため、人命被害が発生するおそれがあり、引っ越しなどの場合、引越荷物の出入りが不可能な問題点がある。
【０００５】
図１を参照すれば、従来の引き窓型防犯窓５は、上側フレーム１及び下側フレーム２との間に設置され、左右に折り畳まれながら移動可能であり、必要時に開閉することができる。よって、前記固定式防犯窓の欠点を補償することができる利点がある。しかし、引き窓型防犯窓は、製作が難しく、材料費が高くて価格が高いし、折り畳みの際にひどい金属音が発生し、形状が単純で窓の美観を落とす問題点があった。
【０００６】
大韓民国登録実用新案第０２７２０１６号には、窓枠内に左右にスライド可能に組み立てられた外窓と内窓からなる引き窓と、前記外窓に連続して一直線状に窓枠内に設置され、一端にはロック装置が付着された防犯窓本体と、窓枠上に固定される補助バーと、前記防犯窓本体の他端に固定される回動羽及び外窓に固定される固定羽を有する本体固定蝶番とから構成され、前記防犯窓本体が外窓に並んでいる位置である固定位置では、前記外窓と防犯窓本体によって開くことが不可能なロック位置に位置することを特徴とする防犯窓構造体が開示されている。
【０００７】
前記防犯窓は、必要時に防犯窓の開閉が可能であり、既存の窓枠に設置することができるが、既存の窓にさらに防犯窓を備える方式であって、次のような問題点があるので、久しい前に開発されたが、いまだ実用化されていない実情である。
【０００８】
第一、防犯窓が一側にだけ設置されているため、外窓のガラスを破損すれば侵入可能であるので、実際に防犯機能が不十分である。
【０００９】
第二、既存の窓枠に設置するとき、既存の窓枠の最外側に備えられたレールを越えて設置され、防犯窓本体を回動させるためには、防犯窓本体の上端及び下端が窓枠の最外側レールを基準に１０ｍｍ以上の離隔隙間がなければならない。このような構造の場合、ドライバーのような簡単な工具で防犯窓本体及び外窓の下端を持ち上げて防犯窓を離脱させることができるので、防犯機能が不良である。
【００１０】
第三、防犯窓本体と外窓の重さ差によって、重い防犯窓本体は下方に垂れ、これと結合された外窓は窓枠の上端部に上げられて、引き窓の外窓のスライディングが容易でない問題点がある。
【００１１】
第四、既存の窓枠に防犯窓本体を設置するためには、防虫網を除去しなければならないので、防虫機能が全然ない問題点がある。
【００１２】
〔発明の開示〕
〔技術的課題〕
したがって、本発明は前記従来技術の問題点を解決するためになされたもので、本発明の目的は、必要時に開閉可能であり、生産単価が低く、開閉の際に騷音が少なく、形状が多様で外観が秀麗な防犯窓を備えた引き窓組立体を提供することである。
【００１３】
本発明の他の目的は、防犯機能が卓越し、設置空間を最小化しながら製作、設置及び修理が容易な防犯窓を備えた引き窓組立体を提供することである。
【００１４】
本発明のさらに他の目的は、堅固であり、防虫機能も有することができる防犯窓を備えた引き窓組立体を提供することである。
【００１５】
〔技術的解決方法〕
前記目的を達成するため、本発明は、２以上のレールを備え、外部に向かう前面が開放したフレームと、櫺子を備え、前記フレームの外側レールに沿ってスライド可能にするスライド溝が上下部に形成されて左右に移動することができる第１防犯窓部材と、櫺子を備え、前記フレームの中央部で、前記第１防犯窓部材と同一のレールに回動部材を介して回動可能に結合され、前記回動部材を中心に回転して前記第１防犯窓部材に重なり、左右に移動することができる第２防犯窓部材と、を含んでなる、防犯窓を備えた引き窓組立体を提供する。
【００１６】
前記構成によれば、必要時に開閉が可能であり、非常時の脱出及び引越荷物の出入りが可能であり、製作及び設置が容易であり、生産費用が低い利点がある。また、折畳式でないので、開閉時の騷音が少なく、櫺子形状を多様に変形して窓の外観を改善することができる。
【００１７】
前記第２防犯窓部材は、上部及び下部に内側の低い段差部が形成されたフレームを備えることができる。
【００１８】
前記第１防犯窓部材の一側にはガラスがさらに備えられ、前記第２防犯窓部材の内側にはガラスが設備された内側窓がさらに設置されることができる。また、前記第２防犯窓部材のフレームの一側には防虫網がさらに備えられることができる。
【００１９】
前記のような構成によれば、従来のベランダのガラス窓機能を備えた防犯窓を提供することができる利点がある。
【００２０】
前記第１防犯窓部材と第２防犯窓部材が重なった場合、この状態を維持することができる固定手段をさらに備えることができる。前記固定手段は、第１防犯窓部材及び第２防犯窓部材の少なくとも一方に内蔵された磁石でなることができる。このような構成によれば、第１防犯窓部材と第２防犯窓部材が重なった状態で左右に移動するとき、分離しないようにすることができる利点がある。
【００２１】
前記目的を達成するために、本発明は、２以上のレールを備え、前面が開放したフレームと、前記フレームの外側レールに沿ってスライド可能にするスライド溝が上下部に形成されたガラス防犯窓枠を備え、前記ガラス防犯窓枠の一側にはガラスが備えられ、他側には防犯窓が加圧部で固定設置されるガラス防犯窓と、前記ガラス防犯窓と同一のレールに回動部材を介して連結設置され、回動部材を中心に回転してガラス防犯窓に重なって左右にスライド可能であり、フレームと接する側部にロック装置が設置された防犯窓と、を含んでなる、防犯窓を備えた引き窓組立体を提供する。
【００２２】
前記防犯窓は、上部及び下部に内側の低い段差部が形成された防虫防犯窓枠を備えることができ、前記防虫防犯窓枠の一側には防虫網が備えられ、他側には防犯窓が加圧部で固定設置されることができる。
【００２３】
前記加圧部は上下左右の四つの部分で構成され、各加圧部の断面は前面部が一直線状の上狭下広の形態であり、幅の広い下部開放部は弾性を有し、両末端部に係止片を備え、係止突起を備え、ガラス防犯窓枠又は防虫防犯窓枠に形成された加圧部挿着溝に強制に結合され、上部後面の延長片は前記防犯窓前面を支持固定する構造であることができる。
【００２４】
前記構成によれば、防虫及び防犯機能を共に有することができ、必要時に開閉が可能であり、製作、設置及び修理が容易であり、堅固な防犯窓を備えた引き窓組立体を提供することができる。
【００２５】
前記ガラス防犯窓のガラス防犯窓枠の上部又は下部スライド溝１の箇所以上には高さ調節用ローラーが備えられることができる。
【００２６】
前記高さ調節用ローラーは、底面がガラス防犯窓枠に固定されたケースの内側にホイールと支持具が内設され、ケース及び支持具の後面部の各ボルト孔にホイール高さ調節用固定ボルトが後方から前方に挿入され、その端部が支持具ボルト孔に固定され、前記ケースの両側面部に形成された垂直案内長孔、前記支持具の側面部に形成された支持具の傾斜案内長孔及び前記ホイール中心孔を中心軸が貫通して固定される組立体で構成されることができる。
【００２７】
前記構成によれば、ガラス防犯窓枠をフレームレールに堅固に密着させることにより、回転時にも、レールに挿入されない防虫防犯窓側に重さが集中することを防止してガラス防犯窓と防虫防犯窓の均衡を取り、ガラス防犯窓を一層堅固に支持する利点がある。
【００２８】
〔有利な効果〕
前述したように、本発明による防犯窓を備えた引き窓組立体は、必要時に防犯窓を開閉することができるので、非常時の脱出や引越荷物の出入りが可能であり、製作及び設置が容易であり、生産費用が低いという効果を有する。
【００２９】
本発明の他の効果は、防犯窓を備えた引き窓組立体が折畳式でないので、開閉の際に騷音が少なく、櫺子形状の多様な変形が可能であり、窓の外観を改善することができるという点である。
【００３０】
本発明のさらに他の効果は、フレームのレール数が少なくて窓の設置空間を最小化することができ、生産及び設置費用を節減することができるとともに、製作、設置及び補修が容易である防犯窓を備えた引き窓組立体を提供することができる効果を有する。
【００３１】
本発明のさらに他の効果は、より安定的に引き窓を開閉することができ、防犯窓を堅固に設置することができるので、防犯効果を高めることができるという点である。
【００３２】
〔発明を実施するための最良の形態〕
以下、添付図面に基づいて本発明の好ましい実施例を詳細に説明する。
【００３３】
図２は本発明の第１実施例による防犯窓を備えた引き窓組立体が閉まった状態を示す斜視図、図３及び図４は図２の防犯窓が開放して移動される状態を示す使用状態図である。また、図５は図２のＡ−Ａ線についての横断面図である。
【００３４】
これら図に示すように、本発明による防犯窓を備えた引き窓組立体１００は、２以上のレールを備え、外向の前面が開放したフレーム１５０、櫺子１２６を備え、前記フレーム１５０の外側レールに沿ってスライド可能にするスライド溝が上下部に形成され、左右に移動することができる第１防犯窓部材１２０、及び櫺子１３６を備えられ、前記フレーム１５０の中央部で、前記第１防犯窓部材１２０と同一のレールに、回動部材１４０を介して回動可能に結合され、前記回動部材１４０を中心に回転して前記第１防犯窓部材１２０に重なり、左右に移動することができる第２防犯窓部材１３０から構成される。
【００３５】
前記第１防犯窓部材１２０及び第２防犯窓部材１３０は、鉄、ステンレススチール、アルミニウムなどを利用して多様な形状の櫺子１２６、１３６の構造物をフレーム１２２、１３２間に設置して製作することができる。また、必要に応じて、第１防犯窓部材１２０及び第２防犯窓部材１３０のなかで一つ以上に防虫網などの所要部材を着脱可能にさらに設置することができる。
【００３６】
前記第２防犯窓部材１３０のフレーム１３２は、その上下部断面が略逆‘Ｌ’字形又は‘┐’形に内側の低い段差部を備える（図８の２３２参照）。したがって、このような構造によって、第２防犯窓部材のフレーム１３２は、フレーム１５０の外側レールと干渉せず、開閉可能に設置される。
【００３７】
前記回動部材１４０は、１８０゜回動可能なものであれば、特別な制限がなく、例えば蝶番などを利用することができる。
【００３８】
本発明による防犯窓のフレーム１５０の前面は、フレーム１５０後面と異なり、開放されている。すなわち、図５に示すフレーム１５０のフランジ１５２またはレールがない。このような構造によって、前記第２防犯窓部材１３０が外側に回動するときに干渉する構造物がないので、第１防犯窓部材１２０と重なることができるものである。
【００３９】
一方、前記第１防犯窓部材１２０と第２防犯窓部材１３０が重なるとき、この状態を維持することができる固定手段をさらに備えることができる。前記構成によれば、第１防犯窓部材１２０と第２防犯窓部材１３０が重なった状態で左右に移動するとき、分離されないようにする利点がある。前記固定手段としては、例えば磁石部材を防犯窓部材１２０、１３０の一側に内蔵することで、重畳の際に互いに固定させることができる。このような構成によれば、窓の外観を変形せずに前記固定効果を得ることができる。
【００４０】
本発明による防犯窓を備えた引き窓組立体１００は、フレーム１５０と接する側部に、図２のように、第１防犯窓部材１２０及び第２防犯窓部材１３０が閉まったときに前記フレーム１５０に固定されるためのロッキング装置１６０が備えられる。
【００４１】
前記構成の実施例によれば、本発明による引き窓型防犯窓は、必要時に開閉可能であって、非常脱出及び引っ越しの際、引越荷物の出入りが可能であり、開放のかんがある。また、従来の防犯窓に比べ、製作及び設置が容易であり、生産費用が低い利点がある。
【００４２】
さらに、折畳式でないので、開閉の際、騷音が少なく、櫺子の形状を多様に変形して窓の外観を改善することができる。また、第１防犯窓部材１２０と第２防犯窓部材１３０が重なって移動するので、防犯窓の開放の際にも、防犯窓が外部に突出することによって引き起こされる問題点を予め防止することができる。前記実施例は、既にガラス及び／又は防虫網が備えられた窓に追って防犯窓を設置しようとする場合に適用することができる。
【００４３】
以下、前記実施例による防犯窓を備えた引き窓組立体の作動関係について図２〜図５を参照して説明する。
【００４４】
不在の際、就寝の際などのように、防犯が必要な場合、図２のように、第１防犯窓部材１２０及び第２防犯窓部材１３０を閉めた状態で、フレーム１５０にロック装置（図３の１６０参照）を利用してロックしておく。
【００４５】
一方、非常の際、引っ越しの際など、必要に応じて前記防犯窓を備えた引き窓組立体１００を開放しようとする場合、前記防犯窓ロック装置を解錠し、図３及び図４のように、前記第２防犯窓部材１３０を外側に回転させれば、回動部材１４０によって前記第２防犯窓部材１３０は前記第１防犯窓部材１２０の前面に重なる。前述したように、前記フレーム１５０の前面は開放されていて、前記第２防犯窓部材１３０の回転が可能である。
【００４６】
前記のように、第１防犯窓部材１２０と第２防犯窓部材１３０が重なった状態で、第１防犯窓部材１２０をフレーム１５０のレールに沿って移動させて所望の側面を開放することができる。この際、第１防犯窓部材１２０と重なった状態の第２防犯窓部材１３０も共に移動することになる。また、前記第１防犯窓部材１２０と第２防犯窓部材１３０の内側には磁石などの固定手段が備えられることにより、両者が分離されることを防止することができる。
【００４７】
図６は本発明の変形実施例による防犯窓を備えた引き窓組立体の横断面図、図７及び図８は本発明の変形実施例による防犯窓を備えた引き窓組立体の縦断面図である。
【００４８】
本実施例による防犯窓を備えた引き窓組立体２００は、前記第２防犯窓部材２３０の内側に、ガラス２１４がフレーム２１２に挟まれた内側窓２１０がさらに備えられ、前記第１防犯窓部材２２０には、ガラス２２４がフレーム２２２にさらに設備される。また、前記第２防犯窓部材２３０の一側には、防虫網２３４がさらに備えられている。
【００４９】
公知の技術によって、前記内側窓２１０は、前記第１防犯窓部材２２０と係止突起（いわゆる、フック）２１２ｂ、２２２ｂを介して結合できるように設置される。すなわち、図６を参照すれば、内側窓２１０と第１防犯窓部材２２０は、前記内側窓２１０のフレーム２１２と第１防犯窓部材２２０のフレーム２２２が互いに接する内側窓２１０のフレーム２１２の側部に、内側に折り曲げられて形成された係止突起２１２ｂと、第１防犯窓部材２２０のフレーム２２２の対向位置に、前記係止突起２１２ｂと係合するように形成された係止突起２２２ｂとによって固定される。
【００５０】
前記図には、第１防犯窓部材２２０に内側に櫺子２２６が設置され、外側にガラス２２４が設備された構造に示されているが、必要に応じて位置を変更することができる。同様に、必要に応じて、第２防犯窓部材２３０に設置される櫺子２３６と防虫網２３４の位置も変更することができる。
【００５１】
前記のような構成の防犯窓を備えた引き窓組立体を設置すれば、従来のベランダガラス窓と防犯窓をそれぞれ別に設置する必要がない。よって、窓の製作及び設置費用を低めることができる利点がある。未説明符号２１２ａ及び２２２ａは取っ手溝を示す。一方、本実施例の具体的な作動関係は前述した実施例の作動関係と同様なので、その詳細な説明は省略する。
【００５２】
図９は本発明の変形実施例による防犯窓を備えた引き窓組立体の正面図である。図９において、図２と同一の構成要素に対しては同一符号を付ける。図９に示すように、本発明による防犯窓を備えた引き窓組立体は、櫺子１３６の構造を多様な形状に変形することができるので、窓の外観を改善することができる利点もある。
【００５３】
前記実施例においては、窓の数が横方向に二つである場合を基準に説明したが、本発明は横方向に窓の数が二つ以上の場合にも変形して適用可能である。
【００５４】
図１０は本発明による第２実施例による防犯窓を備えた引き窓組立体の斜視図、図１１は本発明による第２実施例による防犯窓を備えた引き窓組立体の分解斜視図である。図１２は図１０のＢ−Ｂ線についての横断面図、図１３は図１０のＣ−Ｃ線についての縦断面図である。
【００５５】
図１４は本発明による好ましい一実施例による防犯窓を備えた引き窓の一部を示す斜視図、図１５は図１４のＤ−Ｄ線についての縦断面図である。
【００５６】
これら図を参照すれば、本発明による防犯窓を備えた引き窓組立体は、２以上のレール１２を備え、前面が開放したフレーム１０、前記フレーム１０の外側レール１２に沿ってスライド可能なスライド溝２２ｂが形成されたガラス防犯窓枠２２を備えたガラス防犯窓２０、及び前記ガラス防犯窓２０と同一のレールに回動部材を介して連結設置され、回動部材を中心に回転してガラス防犯窓２０と重なり、左右にスライド可能な防虫防犯窓３０から構成される。
【００５７】
本発明による防犯窓を備えた引き窓組立体において、フレーム１０の前面は、フレーム１０の後面と異なり、開放している。すなわち、図１１を参照すれば、フレーム１０の最外側端部１０ａにはレールないしフランジがない。このような構造によって、前記防虫防犯窓３０が回動部材を中心に外側に回転するときに干渉する構造物がないので、ガラス防犯窓２０と重なることができるものである（図１２参照）。
【００５８】
また、前記ガラス防犯窓枠２２の内側にはガラス２６が備えられ、外側には防犯窓２８が加圧部２９ｂによって固定設置される。必要に応じて、ガラス２６と防犯窓２８の位置を変更することができる。内側にガラス２６を設置し、外側に防犯窓２８を設置する構成の場合、引き窓組立体を現場で施工するとき、ガラス製造工場でガラス２６のみを固定した状態で、現場に移動して施工することができるので、便利である。
【００５９】
前記ガラス２６は、一般のガラス窓と同様に、ガラス２６をガラス防犯窓枠２２のガラス挿着溝２６ａに挿入した後、シリコンコーキング２６ｂでシーリングすることで、固定される。前記防犯窓２８は、固定位置に置かれた後、ガラス防犯窓枠２２に形成された加圧部挿着溝２９ａに弾性加圧部２９ｂの末端を強制に結合し、ついで防犯窓２８と加圧部２９ｂが接する部分をシリコンコーキング２９ｃでシーリングすることで、固定される。
【００６０】
図１２を参照すれば、前記加圧部２９ｂは上下左右の四つの部分でなり、各加圧部２９ｂの断面は前面部（フレーム基準）が一直線状であり、上狭下広の形で、幅の広い下側開放部は弾性を有し、両末端部に係止片が備えられ、係止突起を備えてガラス防犯窓枠２２に形成された加圧部挿着溝２９ａに強制に結合され、上部後面の延長片は前記防犯窓２８の前面を支持固定する構造である。
【００６１】
前記フレーム１０と接する前記防虫防犯窓３０の防虫防犯窓枠３２の側部にはロック装置３４が設置され、防虫防犯窓３０をロックする機能をする。前記ロック装置３４は特別な制限がないもので、公知のロック装置を活用することができる。例えば、キーロック装置を適用することができる。この際、ロック装置のロック突起３４ａが貫通するフレーム１０及び防虫防犯窓枠３２にはロック孔１４、３２ａが形成される。
【００６２】
前記防虫防犯窓枠３２の内側には防虫網３６が備えられ、外側には防犯窓３８が加圧部３９ｂによって固定設置される。必要に応じて、防虫網３６と防犯窓３８の位置を変更することができる。
【００６３】
前記防虫網３６は、防虫防犯窓枠３２に形成された防虫網挿着溝３６ａに挿入した後、シリコンコーキング３６ｂでシーリングすることで、固定される。前記防犯窓３８は、固定位置に置かれた後、防虫防犯窓枠３２に形成された加圧部挿着溝３９ａに弾性加圧部３９ｂの末端を強制に結合し、ついで防犯窓３８と加圧部３９ｂが接する部分をシリコンコーキング３９ｃでシーリングすることで、固定される。前記防虫防犯窓枠３２に設置される加圧部３９ｂの形状及び機能は、前記ガラス防犯窓枠２２に設置される加圧部２９ｂと同様であるので、その詳細な説明を省略する。
【００６４】
図１３を参照すれば、前記防虫防犯窓枠３２は、その上下部断面が略逆‘Ｌ’字形又は‘┐’形の段差部を備える（図１３の‘Ａ’部参照）。したがって、このような構造によって、防虫防犯窓枠３２はフレーム１０の外側レール１２と干渉せず、開閉できるように設置される。
【００６５】
前記ガラス防犯窓２０と前記防虫防犯窓３０との間に設置された回動部材は、１８０゜回動可能なものであれば、特別な制限がない。例えば、図１０に示すように、一つ以上の蝶番２４を利用することができる。前記蝶番２４の羽部はそれぞれガラス防犯窓枠２２及び防虫防犯窓枠３２の側面に固定されている。
【００６６】
図１１を参照すれば、前記フレーム１０の内側レール１２に沿ってスライド可能に設置される一つ以上の内側ガラス窓４０をさらに備えることができる。すなわち、内側ガラス窓４０が一つ設置されることもでき、一対の内側ガラス窓４０が設置され、防犯機能及び防虫機能が提供された二重窓の構造にすることもできる。
【００６７】
図１２を参照すれば、前記ガラス４６が備えられた内側ガラス窓枠４２の一側には、内向に折り曲げられた係止突起４２ａが形成され、これに対向する部分に形成されたガラス防犯窓枠２２の係止片２２ａに締結されることで、内側ガラス窓４０とガラス防犯窓２０を固定して気密性を高める役目をする。また、内側ガラス窓４０とガラス防犯窓２０は、クリセントロック（ｃｒｅｓｃｅｎｔｌｏｃｋ）（図１１の４４参照）を利用してさらに固定することができる。
【００６８】
前記ガラス防犯窓２０のガラス防犯窓枠２２の上側又は下側スライド溝２２ｂの１箇所以上には高さ調節用ローラー５０が備えられる。図１７を参照すれば、前記高さ調節用ローラー５０は、底面がガラス防犯窓枠２２に固定されたケース５１の内側にホイール５２と支持具５３が内設され、ケース５１及び支持具５３の後面部の各ボルト孔５１ａ、５３ａにホイールの高さ調節用固定ボルト５４が後方から前方に挿入され、その端部が支持具ボルト孔５３ａに固定された構造である。
【００６９】
前記ケース５１の両側面部には垂直案内長孔５１ｂが形成され、前記支持具５３の両側面部には傾斜案内長孔５３ｂが形成され、前記ケース５１の垂直案内長孔５１ｂ、支持具５３の傾斜案内長孔５３ｂ及びホイール５２の中心孔５２ａを中心軸５６が貫通して固定される構造である。
【００７０】
前記高さ調節用固定ボルト５４を一側に回せば、底面がガラス防犯窓枠２２に固定されたケース５１は支持具５３が近づくにしたがい、中心軸５６が傾斜案内長孔５３ｂに沿って移動し、中心軸５６が貫通した前記ホイール５２がフレーム１０側に移動することになる。
【００７１】
前記構成によれば、ガラス防犯窓枠２２をフレーム１０のレール１２に堅固に密着させることで、ガラス防犯窓２０とレール１２に挿入されない防虫防犯窓３０の均衡を取り、防虫防犯窓３０の回転の際、防虫防犯窓３０の重量によってガラス防犯窓２０が揺れず、防虫防犯窓３０が安定に回転するようにガラス防犯窓２０をさらに堅固に支持する利点がある。
【００７２】
図１６は本発明による好ましい一実施例による防犯窓を備えた引き窓の一部の分解斜視図である。この図１６に基づいて、本発明による防犯窓を備えた引き窓の組立体の製作、組立て及び設置方法について説明する。
【００７３】
まず、ガラス防犯窓枠２２と防虫防犯窓枠３２を蝶番２４を介して固定設置する。ついで、上部下部スライド溝２２ｂのそれぞれの２箇所に高さ調節用ローラー５０が設置されたガラス防犯窓枠２２に形成されたガラス挿着溝２６ａにガラス２６を挿入し、前面及び後面でシリコンコーキング（図１２の２６ｂ参照）でシーリングしてガラス２６を固定する。そして、同様な方式で、防虫防犯窓枠３２に形成された防虫網挿着溝３６ａに防虫網３６を挿入し、前面及び後面でシリコンコーキング（図１２の３６ｂ参照）にシーリングして防虫網３６を固定する。
【００７４】
その後、ガラス防犯窓２０の防犯窓２８を固定位置においた後、ガラス防犯窓枠２２に形成された加圧部挿着溝２９ａに弾性加圧部２９ｂの端部を強制に結合して防犯窓２８を固定し、固定力を高めるとともに湿気などの浸入を防止するために、前面で防犯窓２８と加圧部２９ｂが接する部分をシリコンコーキング（図１２の２９ｃ参照）でシーリングを行う。そして、同様な方式で、防虫防犯窓３０の防犯窓３８を固定位置においた後、防虫防犯窓枠３２に形成された加圧部挿着溝３９ａに弾性加圧部３９ｂの端部を強制に結合して防犯窓３８を固定し、前面で防犯窓３８と加圧部３９ｂが接する部分をシリコンコーキング（図１２の３９ｃ参照）でシーリングを行う。
【００７５】
前記のように、加圧部２９ｂ、３９ｂを利用して防犯窓２８、３８を固定すれば、ガラス窓及び防犯窓の複合窓、又は防虫網及び防犯窓の複合窓の製作及び設置が容易である。また、ガラス２６、防虫網３６及び防犯窓２８、３８の一部が破損して修理が必要な場合、防犯窓２８、３８と加圧部２９ｂ、３９ｂ間のコーキング２９ｃ、３９ｃを刀で切断した後、加圧部２９ｂ、３９ｂを簡単な道具で分離することができ、また、修理の後、逆順に容易に再組立することができる利点がある。
【００７６】
さらに、ベランダ窓を設置するとき、本発明による防犯窓を備えた引き窓組立体を利用すれば、別途の防犯窓の設置による施工上の難点を解決することができ、フレームレールの数を減らして引き窓の設置空間を最小化することができ、生産及び設置の費用などを節減することができる。
【００７７】
ついで、図１１を参照すれば、内側ガラス窓４０が設置されたフレーム１０に、前記製作された引き窓を組立てる。この際、前記内側ガラス窓４０の内側ガラス窓枠４２の一側に形成された係止突起４２ａと、これに対向する部分に形成されたガラス防犯窓枠２２の係止片２２ａを締結することで、内側ガラス窓４０とガラス防犯窓２０を固定する。
【００７８】
そして、ガラス防犯窓枠２２の両側面に形成された高さ調節孔２２ｃにドライバーを入れ、ガラス防犯窓枠２２に設置された高さ調節用ローラー５０のボルト５４を調節することにより、ガラス防犯窓枠２２をフレーム１０のレール１２に密着させる。このような構造によって、フレーム１０のレール１２に挿入されない防虫防犯窓３０とガラス防犯窓２０の均衡を取り、防虫防犯窓３０を一層堅固に支持する利点がある。特に、重い防虫防犯窓３０が蝶番２４を中心に回動するとき、前記ガラス防犯窓２０を安定に支持する機能をする。また、ローラー５０の機能によって、安定にレール１２に沿ってガラス防犯窓２０を開閉することができる。
【００７９】
以下、前記のように設置された本発明による防犯窓を備えた引き窓組立体の作動関係を図１２に基づいて説明する。
【００８０】
不在の際、就寝の際などのように防犯機能が必要な場合、内側ガラス窓４０に締結されたガラス防犯窓２０及び防虫防犯窓３０を全て閉めた状態で、ロック装置３４のロック突起３４ａを利用してフレーム１０にロックしておくことができ、防虫防犯機能が必要な場合、前記状態で内側ガラス窓４０のみを開放すれば良い。
【００８１】
一方、非常脱出の際、引っ越しの際など、必要に応じて、前記防虫防犯窓３０のロック装置３４のロック機能を解除し、前記防虫防犯窓３０を外側に回転させれば、蝶番２４によって回動して前記ガラス防犯窓２０の前面に重なることができる。この状態で、ガラス防犯窓２０をフレーム１０のレール（図１１の１２参照）に沿って移動させることで、所望の方向に引き窓を開放することができる。さらに、前記ガラス防犯窓２０と防虫防犯窓３０の内側に磁石などの固定手段を備えれば、両者の分離を防止することができる。
【００８２】
前記のような構成の本発明による引き窓組立体は、新たに建設するアパートなどの建物に適用する場合、ガラス窓と防犯窓などを別個に設置する必要がなく、窓の設置空間を最小化することができるので、窓の製作及び取付の費用を節減することができる。
【００８３】
以上、本発明の好ましい実施例を例示の目的で説明したが、当業者であれば、添付する特許請求範囲に開示された本発明の範囲及び精神から逸脱することなしに、多様な変形、追加及び代替が可能であることが分かるであろう。
【図面の簡単な説明】
【００８４】
【図１】従来技術による引き窓型防犯窓の一例を示す斜視図である。
【図２】本発明の第１実施例による防犯窓を備えた引き窓組立体が閉まった状態を示す斜視図である。
【図３】図２の防犯窓が開放して移動される状態を示す使用状態図である。
【図４】図２の防犯窓が開放して移動される状態を示す使用状態図である。
【図５】図２のＡ−Ａ線についての横断面図である。
【図６】本発明の変形実施例による防犯窓を備えた引き窓組立体の横断面図である。
【図７】本発明の変形実施例による防犯窓を備えた引き窓組立体の縦断面図である。
【図８】本発明の変形実施例による防犯窓を備えた引き窓組立体の縦断面図である。
【図９】本発明の変形実施例による防犯窓を備えた引き窓組立体の正面図である。
【図１０】本発明による第２実施例による防犯窓を備えた引き窓組立体の斜視図である。
【図１１】本発明による第２実施例による防犯窓を備えた引き窓組立体の分解斜視図である。
【図１２】図１０のＢ−Ｂ線についての横断面図である。
【図１３】図１０のＣ−Ｃ線についての縦断面図である。
【図１４】本発明による第２実施例による防犯窓を備えた引き窓の一部の斜視図である。
【図１５】図１４のＤ−Ｄ線についての縦断面図である。
【図１６】本発明による第２実施例による防犯窓を備えた引き窓一部分の分解斜視図である。
【図１７】本発明による防犯窓を備えた引き窓組立体における高さ調節用ローラーの分解斜視図である。
【図１】
2008531890.tif 000003
【図２】
2008531890.tif 000004
【図３】
2008531890.tif 000005
【図４】
2008531890.tif 000006
【図５】
2008531890.tif 000007
【図６】
2008531890.tif 000008
【図７】
2008531890.tif 000009
【図８】
2008531890.tif 000010
【図９】
2008531890.tif 000011
【図１０】
2008531890.tif 000012
【図１１】
2008531890.tif 000013
【図１２】
2008531890.tif 000014
【図１３】
2008531890.tif 000015
【図１４】
2008531890.tif 000016
【図１５】
2008531890.tif 000017
【図１６】
2008531890.tif 000018
【図１７】
2008531890.tif 000019
【国際調査報告】
2008531890.tif 000020
2008531890.tif 000021